(57)【要約】      （修正有）【課題】本棚等に整然と陳列・展示できると共に、購買者がＤＶＤ等のディスクケースに表示されている各種情報や宣伝文句等を簡単に見ることができ、然も、ディスクの各種情報や宣伝文句等を多数表示できるディスクケース収容ホルダーを提供する。【解決手段】ＤＶＤ等のディスク３を収容するディスクケースと略同じ厚さを有し、書籍や雑誌類と同じ大きさに形成されて内部にディスクケースを収容する紙箱本体１と、紙箱本体内で且つディスクケースの周囲に配置され、紙箱本体の型崩れ等を防止する四角枠状の保持体とから成るディスクケース収容ホルダーであって、紙箱本体の表面側中央部に、ディスクケースを着脱自在に嵌合収容する凹部１７を形成し、又、紙箱本体の表裏面、左右側面及び上下面に、ディスクのタイトル、目次、内容解説、曲目、曲目解説等の各種情報、宣伝文句、イラスト、写真のうち、少なくとも何れか一つを夫々表示する。【選択図】図１
0003107815.tif 000002
【実用新案登録請求の範囲】
【請求項１】
記録媒体である円盤状のディスク（３）を収容するディスクケース（４）と略同じ厚さを有し、且つ書籍や雑誌類と同じ大きさに形成されて内部にディスクケース（４）を収容する偏平直方体状の紙箱本体（１）と、紙箱本体（１）内で且つディスクケース（４）の周囲に配置され、紙箱本体（１）の型崩れや変形を防止すると共に、紙箱本体（１）内に収容されたディスクケース（４）がずれるのを防止する四角枠状の保持体（２）とから成るディスクケース収容ホルダーであって、前記紙箱本体（１）の表面側中央部に、ディスクケース（４）を着脱自在に嵌合収容する矩形状の凹部（１７）を形成し、又、紙箱本体（１）の表裏面、左右側面及び上下面に、ディスクケース（４）に収容されているディスク（３）のタイトル、目次、内容解説、曲目、曲目解説等の各種情報、宣伝文句、イラスト、写真のうち、少なくとも何れか一つを夫々表示したことを特徴とするディスクケース収容ホルダー。
【請求項２】
紙箱本体（１）の凹部（１７）の内周縁部に、凹部（１７）内に嵌合収容されたディスクケース（４）の左右側面及び上下面に夫々弾性的に当接する係止片（８）を紙箱本体（１）と一体的に設けたことを特徴とする請求項１に記載のディスクケース収容ホルダー。
【請求項３】
紙箱本体（１）の表裏面、左右側面及び上下面の全ての面に、ディスクケース（４）に収容されているディスク（３）のタイトルを表示したことを特徴とする請求項１又は請求項２に記載のディスクケース収容ホルダー。
【考案の詳細な説明】
【技術分野】
【０００１】
本考案は、記録媒体であるＤＶＤや音楽ＣＤ、ＣＤ−ＲＯＭ等の円盤状のディスクを収容するディスクケースをディスクごと収容するディスクケース収容ホルダーに係り、特に、書店やコンビニエンスストア等の本棚や陳列棚等に単独で又は書籍や雑誌類と一緒に陳列・展示できるようにしたディスクケース収容ホルダーに関するものである。
【背景技術】
【０００２】
一般に、映像や音声、音楽等の情報を記録したＤＶＤや音楽ＣＤ等の円盤状のディスク（記録媒体）は、通常プラスチック製の略正方形のディスクケースや長方形のディスクケースに収容されて販売されている。中でもＤＶＤは、ＣＤと同じサイズでありながら高画質・高音質、多種の音声や字幕を収録することができるため、記録媒体として広く利用されている。
【０００３】
ところで、最近のＤＶＤや音楽ＣＤ等の流通、販売業界に於いては、書籍や雑誌類を取り扱う書店やコンビニエンスストア用の比重が増加しており、ＤＶＤや音楽ＣＤ等を書店やコンビニエンスストアで販売することが多くなって来ている。
この場合、ＤＶＤ等を収容するディスクケースは、形態や大きさが一般の書籍や雑誌類と異なっているため、店内で積み置きしたり、書籍や雑誌と別の場所に陳列・展示している。
【０００４】
ところが、ＤＶＤ等のディスクケースを店内に積み置きしたり、書籍や雑誌類と別の場所に陳列・展示した場合には、荷崩れを起こし易いうえ、購買者や販売店に不便である。又、ディスクケースを一般の書籍や雑誌類と一緒に本棚や陳列棚等に起立載置したときには、背丈が不揃いとなり、見栄えも悪くなると云う問題がある。
【０００５】
そこで、このような問題を解決するため、図１２及び図１３に示すようなケースホルダーが開発され、実用新案登録３０９８９４５号（特許文献１）として公開されている。
即ち、前記ケースホルダーは、ＤＶＤ等を収容するケース４０と略同じ厚さを有し、Ａ版又はＢ版等の書籍と略同じ大きさに形成された方形枠体４１の中央部に前記ケース４０を嵌合収容する凹部４２を形成すると共に、凹部４２内の底板の一部にケース４０の裏面に表示したバーコード等を透視可能にする矩形状の透孔４３を形成し、前記凹部４２内にケース４０を収容して方形枠体４１の表面にカバー表紙（図示省略）を載置した状態でこれら全体を透明な合成樹脂フイルム４４によってシュリンクパックするようにしたものである。
このケースホルダーは、書籍と同一形態に形成されているので書籍の本棚に陳列・展示することができ、又、全体が合成樹脂フイルム４４によってシュリンクパックされているので安全に輸送することができ、更に、ケース４０に表示したバーコード等が見える透孔４３を形成しているので書籍や雑誌類と同様な方法で会計処理できる等、大変便利なケースホルダーである。
【０００６】
然し乍ら、前記ケースホルダーは、全体がシュリンクパックされているため、購買者がケースホルダーに収容されているケース４０を取り出してその表裏面に表示されているＤＶＤ等のタイトル、内容解説、監督のプロフィールや、音楽ＣＤ等の全曲目、曲目解説、演奏家のプロフィール等の各種情報、宣伝文句、イラスト、写真等を見ることができないと云う難点があった。
又、このケースホルダーは、カバー表紙にしか、タイトル、目次、内容説明等の各種情報、宣伝文句、イラスト等が表示されていないため、各種情報、宣伝文句、イラスト等の表示されている部分が少なく、店頭での販売時に客の購買意欲をあまりそそることができないと云う難点があった。
【特許文献１】実用新案登録第３０９８９４５号公報
【考案の開示】
【考案が解決しようとする課題】
【０００７】
本考案は、このような問題点に鑑みて為されたものであり、その目的は書籍や雑誌類と同様にして本棚や陳列棚等に整然と陳列・展示することができると共に、購買者がディスクケースを取り出せてそれに表示されている各種情報、宣伝文句、イラスト、写真等を簡単に見ることができ、然も、ディスクケースに収容されているＤＶＤ等のディスクの各種情報、宣伝文句、イラスト、写真等を多数表示できるようにして、店頭での販売時に客の購買意欲を著しくそそるようにしたディスクケース収容ホルダーを提供することにある。
【課題を解決するための手段】
【０００８】
上記目的を達成するために、本考案の請求項１の考案は、記録媒体である円盤状のディスクを収容するディスクケースと略同じ厚さを有し、且つ書籍や雑誌類と同じ大きさに形成されて内部にディスクケースを収容する偏平直方体状の紙箱本体と、紙箱本体内で且つディスクケースの周囲に配置され、紙箱本体の型崩れや変形を防止すると共に、紙箱本体内に収容されたディスクケースがずれるのを防止する四角枠状の保持体とから成るディスクケース収容ホルダーであって、前記紙箱本体の表面側中央部に、ディスクケースを着脱自在に嵌合収容する矩形状の凹部を形成し、又、紙箱本体の表裏面、左右側面及び上下面に、ディスクケースに収容されているディスクのタイトル、目次、内容解説、曲目、曲目解説等の各種情報、宣伝文句、イラスト、写真のうち、少なくとも何れか一つを夫々表示したことに特徴がある。
【０００９】
本考案の請求項２の考案は、紙箱本体の凹部の内周縁部に、凹部内に嵌合収容されたディスクケースの左右側面及び上下面に夫々弾性的に当接する係止片を紙箱本体と一体的に設けたことに特徴がある。
【００１０】
本考案の請求項３の考案は、紙箱本体の表裏面、左右側面及び上下面の全ての面に、ディスクケースに収容されているディスクのタイトルを表示したことに特徴がある。
【考案の効果】
【００１１】
本考案のディスクケース収容ホルダーは、書籍や雑誌類と同じ大きさに形成された偏平直方体状の紙箱本体の表面側中央部に、ディスクケースを着脱自在に嵌合収容する矩形状の凹部を形成しているため、ディスクケースを紙箱本体の凹部に嵌合収容することによって、書店やコンビニエンスストア等の本棚や陳列棚等に単独で又は書籍や雑誌類と一緒に陳列・展示することができる。然も、ディスクケース収容ホルダーは、書籍や雑誌類と同じ大きさに形成されているため、ディスクケース収容ホルダーを書籍等と一緒に本棚や陳列棚等に起立載置したときに背丈が揃って見栄えも良くなると共に、本棚等に整然とした状態で陳列・展示することができる。
又、本考案のディスクケース収容ホルダーは、ディスクケースを紙箱本体の凹部から取り出せるようになっているため、購買者がディスクケースの表面及び裏面に表示されているディスクのタイトル、目次、内容解説、曲目、曲目解説等の各種情報、宣伝文句、イラスト、写真等を全て見ることができ、店頭での販売時に客の購買意欲をそそることができる。
更に、本考案のディスクケース収容ホルダーは、紙箱本体の凹部の内周縁部に、凹部内に嵌合収容されたディスクケースの左右側面及び上下面に弾性的に当接する係止片を設けているため、購買者がディスクケース収容ホルダーを手に取って眺めているときにディスクケースが紙箱本体から簡単に抜け落ちると云うことがなく、落下による破損や散逸を防止することができる。
そのうえ、本考案のディスクケース収容ホルダーは、ディスクケースよりも大きい紙箱本体の表裏面、左右側面及び上下面の全てにディスクケースに収容されているディスクのタイトル、目次、内容説明、曲目、曲目解説等の各種情報、宣伝文句、イラスト、写真等を表示しているため、各種情報、宣伝文句、イラスト、写真等の表示されている部分が多くなり、店頭での販売時に客の購買意欲をより一層そそることができる。
加えて、本考案のディスクケース収容ホルダーは、紙箱本体の表裏面、左右側面及び上下面の全ての面にディスクのタイトルを表示しているため、購買者や店員がディスクケース収容ホルダー内に収容されているディスクの内容等を直ぐに判別することができ、整理上極めて便利であるうえ、店内に判り易く且つ整然とした状態で陳列・展示することができる。
【考案を実施するための最良の形態】
【００１２】
以下、本考案の実施の形態を図面に基づいて詳細に説明する。
図１乃至図３は本考案の実施の形態に係るディスクケース収容ホルダーを示し、当該ディスクケース収容ホルダーは、記録媒体であるＤＶＤや音楽ＣＤ、ＣＤ−ＲＯＭ等の円盤状のディスク３を収容するディスクケース４をディスク３ごと収容し、書店やコンビニエンスストア等の本棚や陳列棚等に単独で又は書籍や雑誌類と一緒に陳列・展示できるようにしたものであり、ディスク３を収容するディスクケース４と略同じ厚さを有し、且つ書籍や雑誌類と同じ大きさに形成されて内部にディスクケース４を収容する偏平直方体状の紙箱本体１と、紙箱本体１内で且つディスクケース４の周囲に配置され、紙箱本体１の型崩れや変形を防止すると共に、紙箱本体１内に収容されたディスクケース４がずれるのを防止する四角枠状の紙製の保持体２とから構成されている。
【００１３】
尚、ＤＶＤ等のディスク３を収容するディスクケース４は、図１１に示す如く、従来公知のものと同様に合成樹脂材により一体的に形成されており、内側面にディスク３が嵌合収容される円形の収容部（図示省略）を有する長方形状の下蓋４ａと、下蓋４ａの一方の長辺に長尺状の連結片４ｂを介して揺動自在に連結され、下蓋４ａに対して開閉自在な長方形状の上蓋４ｃとから成る。
又、ディスクケース４の表裏面及び背表紙部分には、ディスクケース４に収容されるディスク３、例えばＤＶＤのタイトル、内容解説、監督のプロフィールや、音楽ＣＤの全曲目、曲目解説、演奏家のプロフィール等の各種情報、宣伝文句、イラスト、写真等をカラー印刷したカバー表紙５が透明なビニールシート（図示省略）により取り付けられている。
【００１４】
前記紙箱本体１は、表面側にＤＶＤや音楽ＣＤ等のディスク３のタイトル、目次、内容解説、曲目、曲目解説等の各種情報、宣伝文句、イラスト、写真、バーコード等をカラー印刷した板紙（白ボール紙やコートボール紙等）を図４に示す形状に打ち抜いて成る一枚の紙型（ブランク）から作製されており、当該紙型を適宜に折り曲げて図５に示す形態に組み立てることによって偏平直方体状の紙箱本体１が作製される。
【００１５】
具体的には、紙箱本体１を形成する紙型は、図４に示す如く、Ａ４版又はＢ５版等の書籍や雑誌類と同じ大きさに形成され、中央部にディスクケース４が嵌り込む矩形状の開口を形成した長方形状の表面板６と、表面板６の開口周縁部に折り目線７を介して連設された四つの長尺状の係止片８と、表面板６の左側辺に折り目線７を介して連設され、ディスクケース４の厚みよりも少しだけ大きい幅の長尺状の左側板９と、表面板６の右側辺に折り目線７を介して連設され、左側板９と同じ大きさの長尺状の右側板１０と、左側板９及び右側板１０の上辺及び下辺に夫々折り目線７を介して連設された折込み片１１と、左側板９の側辺に折り目線７を介して連設され、表面板６と同じ大きさの裏面板１２と、裏面板１２の側辺に折り目線７を介して連設され、右側板１０の裏面側に接着剤により貼着される長尺状の糊代片１３と、表面板６の上辺に折り目線７を介して連設され、左側板９及び右側板１０と同じ幅の長尺状の上面板１４と、表面板６の下辺に折り目線７を介して連設され、上面板１４と同じ大きさの長尺状の下面板１５と、上面板１４及び下面板１５に夫々折り目線７を介して連設された長尺状の差込み片１６とから構成されている。
【００１６】
図４に示す紙型から紙箱本体１を作製する場合、先ず、紙型の表面板６、裏面板１２、左側板９、右側板１０及び糊代片１３を夫々折り目線７で折り曲げ、糊代片１３と右側板１０とを接着剤により貼着して偏平状の四角い筒部を形成し、次に、各折込み片１１を夫々折り目線７で内側へ折り曲げると共に、上面板１４及び下面板１５を夫々折り目線７で内側へ折り曲げ、その後、各差込み片１６を偏平状の四角い筒部の開口に差し込む。又、表面板６の開口周縁部に連設した四つの係止片８を夫々折り目線７で紙箱本体１の内方へ傾斜する状態で折り曲げる。
このようにすることによって、図４に示す紙型から図５に示す偏平直方体状の紙箱本体１が作製される。又、紙箱本体１の表面側中央部には、ディスクケース４が着脱自在に嵌合収容される矩形状の凹部１７が形成されると共に、当該凹部１７の内周縁部には、ディスクケース４の外側面に弾性的に当接する係止片８が紙箱本体１と一体的に設けられることになる。
【００１７】
そして、偏平直方体状に組み立てられた紙箱本体１の表裏面、左右側面及び上下面には、ディスクケース４に収容されているＤＶＤ等のディスク３のタイトル、目次、内容解説、曲目、曲目解説等の各種情報、宣伝文句、イラスト、写真等が夫々表示されている。
この実施の形態に於いては、紙箱本体１の表面（表面板６の表面）には、ディスク３のタイトルａ、写真ｂ、宣伝文句ｃ等が、紙箱本体１の裏面（裏面板１２の表面）には、ディスク３のタイトルａ、写真ｂ、内容解説ｄ、バーコードｅ（商品コード及び価格コード）等が、紙箱本体１の左右側面及び上下面（左側板９、右側板１０、上面板１４及び下面板１５の表面）には、ディスク３のタイトルａがカラー印刷により夫々表示されている。
【００１８】
一方、保持体２は、両面段ボール紙を図６に示す形状に打ち抜いて成る一枚の紙型（ブランク）から作製されており、当該紙型を適宜に折り曲げて図７に示す形態に組み立てることによって四角枠状の保持体２が作製される。
【００１９】
具体的には、保持体２を形成する紙型は、図６に示す如く、紙箱本体１の表面板６よりも少し小さめに形成され、中央部に表面板６の開口に合致する開口を形成した基板１８と、基板１８の左側辺及び右側辺に夫々折り目線１９を介して連設され、紙箱本体１の左側板９及び右側板１０よりも少し小さめの長尺状の左側外壁板２０及び右側外壁板２１と、左側外壁板２０及び右側外壁板２１に夫々折り目線１９を介して連設され、基板１８の側辺部分の幅と略同じ幅の長尺状の左側上壁板２２及び右側上壁板２３と、左側上壁板２２及び右側上壁板２３に夫々折り目線１９を介して連設され、左側外壁板２０及び右側外壁板２１と略同じ大きさの左側内壁板２４及び右側内壁板２５と、左側内壁板２４及び右側内壁板２５に夫々折り目線１９を介して連設され、左側上壁板２２及び右側上壁板２３と略同じ大きさの左側底壁板２６及び右側底壁板２７と、基板１８の上辺及び下辺に夫々折り目線１９を介して連設され、左側外壁板２０及び右側外壁板２１の幅と同じ幅の長尺状の上側外壁板２８及び下側外壁板２９と、上側外壁板２８及び下側外壁板２９に夫々折り目線１９を介して連設され、基板１８の上辺部分及び下辺部分の幅と略同じ幅の上側上壁板３０及び下側上壁板３１と、上側上壁板３０及び下側上壁板３１に夫々折り目線１９を介して連設され、上側外壁板２８及び下側外壁板２９と略同じ幅の長尺状の上側内壁板３２及び下側内壁板３３とから構成されている。
又、左側上壁板２２、左側内壁板２４、右側上壁板２３及び右側内壁板２５には、上側内壁板３２及び下側内壁板３３の両端部分が挿入係止されるスリット状の長孔３４が夫々形成されていると共に、上側内壁板３２及び下側内壁板３３には、その両端部分が前記長孔３４に挿入係止されるようにスリット状の切欠３５が夫々形成されている。
【００２０】
図６示す紙型から保持体２を作製する場合、先ず、左側外壁板２０、左側上壁板２２、左側内壁板２４及び左側底壁板２６と、右側外壁板２１、右側上壁板２３、右側内壁板２５及び右側底壁板２７とを夫々折り目線１９で内側へ折り曲げて偏平直方体状の枠部を形成し、次に、上側外壁板２８、上側上壁板３０及び上側内壁板３２と、下側外壁板２９、下側上壁板３１及び下側内壁板３３とを夫々折り目線１９を介して内側へ折り曲げ、上側内壁板３２及び下側内壁板３３の両端部分を夫々スリット状の長孔３４に挿入係止する。
このようにすることによって、図６に示す紙型から図７に示す四角枠状の保持体２が作製される。この保持体２は、紙箱本体１内に挿入され、且つ紙箱本体１の凹部１７の周囲に配置された格好になっている。これによって、紙箱本体１の型崩れや変形を防止されると共に、紙箱本体１の凹部１７内に収容されたディスクケース４がずれるのが防止されることになる。
【００２１】
而して、上述したディスクケース収容ホルダーによれば、図８に示すように紙箱本体１の凹部１７内にＤＶＤや音楽ＣＤ等のディスク３を収容したディスクケース４を嵌合収容し、この状態でディスクケース収容ホルダー自体を書店やコンビニエンスストアの本棚や陳列棚等へ並べることによって、一般の書籍や雑誌類と一緒に又は単独で陳列・展示することができる。
このとき、ディスクケース収容ホルダーは、紙箱本体１が書籍や雑誌類と同じ大きさに形成されているため、ディスクケース収容ホルダーを本棚や陳列棚等に起立載置したときに背丈が揃って見栄えが良くなると共に、本棚等に整然とした状態で陳列・展示することができる。
又、このディスクケース収容ホルダーは、購買者がディスクケース４を紙箱本体１の凹部１７から取り出せるようになっているため、購買者がディスクケース４の表面及び裏面に表示されているＤＶＤのタイトル、内容解説、監督のプロフィールや、音楽ＣＤの全曲目、曲目解説、演奏家のプロフィール等の各種情報、宣伝文句、イラスト、写真等を見ることができ、店頭での販売時に客の購買意欲をそそることができる。
更に、このディスクケース収容ホルダーは、紙箱本体１の凹部１７の内周縁部に、凹部１７内に嵌合収容されたディスクケース４の左右側面及び上下面に弾性的に当接する係止片８を設けているため、購買者がディスクケース収容ホルダーを手に取って眺めているときにディスクケース４が紙箱本体１から簡単に抜け落ちると云うことがなく、落下による破損や散逸を防止することができる。
そのうえ、このディスクケース収容ホルダーは、ディスクケース４よりも大きい紙箱本体１の表裏面、左右側面及び上下面の全てにディスクケース４に収容されているＤＶＤや音楽ＣＤ等のディスク３のタイトル、目次、内容説明等の各種情報、宣伝文句、イラスト、写真等を表示しているため、各種情報、宣伝文句、イラスト、写真等の表示されている部分が多くなり、店頭での販売時に客の購買意欲をより一層そそることができる。
加えて、このディスクケース収容ホルダーは、紙箱本体１の表裏面、左右側面及び上下面の全ての面にＤＶＤ等のディスク３のタイトルを表示しているため、購買者や店員がディスクケース収容ホルダー内に収容されているディスク３の内容等を直ぐに判別することができ、整理上極めて便利であるうえ、店内に判り易く且つ整然とした状態で陳列・展示することができる。
【図面の簡単な説明】
【００２２】
【図１】本考案の実施の形態に係るディスクケース収容ホルダーの正面図である。
【図２】図１のイ−イ線断面図である。
【図３】図１のロ−ロ線断面図である。
【図４】ディスクケース収容ホルダーの紙箱本体の展開図である。
【図５】紙箱本体の斜視図である。
【図６】ディスクケース収容ホルダーの保持体の展開図である。
【図７】保持体の斜視図である。
【図８】ディスクケース収容ホルダーにディスクケースを収容した状態の斜視図である。
【図９】図８のハ−ハ線断面図である。
【図１０】図８のニ−ニ線断面図である。
【図１１】ディスクを収容したディスクケースの斜視図である。
【図１２】従来のケースホルダーを示し、（Ａ）はケースホルダーの表面側斜視図、（Ｂ）はケースホルダーの裏面側斜視図である。
【図１３】従来のケースホルダーを構成する方形枠体の斜視図である。
【符号の説明】
【００２３】
１は紙箱本体、２は保持体、３はディスク、４はディスクケース、８は係止片、１７は凹部。
【図１】
0003107815.tif 000003
【図２】
0003107815.tif 000004
【図３】
0003107815.tif 000005
【図４】
0003107815.tif 000006
【図５】
0003107815.tif 000007
【図６】
0003107815.tif 000008
【図７】
0003107815.tif 000009
【図８】
0003107815.tif 000010
【図９】
0003107815.tif 000011
【図１０】
0003107815.tif 000012
【図１１】
0003107815.tif 000013
【図１２】
0003107815.tif 000014
【図１３】
0003107815.tif 000015